(57)【特許請求の範囲】
【請求項１】
基枠体が取付板と支持板を横断面Ｌ形に曲折して形成され、該基枠体の支持板の上部と下部に鉤部材が枢軸を介して傾動可能に枢支され、上下の該鉤部材が該支持板に沿って摺動可能に配設された連結杆により連結され、該基枠体の中間部に設けたシリンダ錠の錠軸にカム板が固定され、該カム板が該連結杆に係合可能に配置され、該鉤部材がゲーム機の本体枠側に取り付けた受け金具の係止部に係止されて施錠するゲーム機の施錠装置において、
補助シリンダ錠が該基枠体に設けた取付部に側方を向いて取り付けられ、該補助シリンダ錠の錠軸に該カム板と該連結杆との間に進入可能なロックカムが固定され、該ロックカムのロック動作に従動して、該連結杆と支持板に設けた凹部に係合して該連結杆の摺動を阻止するロックレバーが配設されたことを特徴とするゲーム機の施錠装置。
【請求項２】
前記支持板と連結杆の間にスイッチ作動杆が摺動可能に配設され、前記連結杆の凹部に対応した該スイッチ作動杆の位置に凹部が形成され、前記ロックレバーが該連結杆の凹部と共に該スイッチ作動杆の凹部に進入して、該連結杆と該スイッチ作動杆をロックすることを特徴とする請求項１記載のゲーム機の施錠装置。
【発明の詳細な説明】
【０００１】
【発明の属する技術分野】
本発明は、パチンコ機或はスロットマシン等のゲーム機に使用される施錠装置に関する。
【０００２】
【従来の技術】
この種のゲーム機用の施錠装置として、ゲーム機の本体枠（キャビネット）の前面にヒンジを介して開閉可能に取り付けられた前面枠（前扉）を施錠するために、前面枠の内側に縦に装着され、本体枠側に取り付けた受け金具にフック状の鉤部材を係止させて施錠する施錠装置が、従来一般に使用されている。
【０００３】
この施錠装置は、通常、取付板と支持板を横断面略Ｌ形に成形してなる縦長の基枠体を有し、その支持板の上部と下部に、鉤部材を傾動可能に枢支し、基枠体内に摺動可能に配設した連結杆により上下の鉤部材を連結し、基枠体の取付板の中間部にシリンダ錠が取り付けられ、その錠軸の先端に取り付けたカム板を連結杆に連結させ、シリンダ錠のキー操作によりカム板を回動させ、連結杆を介して上下の鉤部材を下側に傾動させ、解錠する構造である。また、連結杆には鉤部材を施錠側に付勢するコイルばねが掛止され、前面枠を本体枠に対し閉鎖した時、鉤部材が受け金具の縁部に当って傾動しながら、係止状態となり、コイルばねの付勢力で、鉤部材が係止位置に戻り、施錠状態となるように動作する。
【０００４】
【発明が解決しようとする課題】
ところで、この種のゲーム機は、近年、大当たり入賞状態になれば、多くの球やコインの払出が行なわれる機種が人気を呼び、大当たり入賞の生じるゲーム機が多く製造されている。しかし、大当たり入賞の当選の確率は、通常、制御回路内のプログラムやメモリのデータにより決定されることから、遊技場の営業中や非営業中に係らず、ゲーム機の前面枠を不正に開き、制御回路内の回路部品を不正な部品と交換し、有利な条件で遊技を行なうことにより、不正に多くの球やコインの払出を得るような不正行為が発生している。
【０００５】
ゲーム機には、殆ど全てに上記のような構造の施錠装置が装着されており、正常なキーを用いてシリンダ錠を操作して、施錠装置を解錠しなければ、ゲーム機の前面枠は、殆ど開くことが難しいが、それでも、不正に施錠装置が無理やり或は真正キーから作られた不正キー等を用いて不正解錠が行なわれ、前面枠を開いて、上記のような不正操作が行なわれる場合があった。このため、真正キーから不正に作られた不正キー等により施錠装置が解錠操作された場合であっても、他の手段で施錠装置のロックが働き、不正解錠を阻止することができる施錠装置が要望されていた。
【０００６】
本発明は、上記の点に鑑みてなされたもので、キーを用いてシリンダ錠を不正に解錠操作した場合でも、他のロック手段を用いて不正解錠を防止することができる施錠装置を提供することを目的とする。
【０００７】
【課題を解決するための手段】
上記目的を達成するために、本発明の請求項１の施錠装置は、基枠体が取付板と支持板を横断面Ｌ形に曲折して形成され、基枠体の支持板の上部と下部に鉤部材が枢軸を介して傾動可能に枢支され、上下の鉤部材が支持板に沿って摺動可能に配設された連結杆により連結され、基枠体の中間部に設けたシリンダ錠の錠軸にカム板が固定され、カム板が連結杆に係合可能に配置され、鉤部材がゲーム機の本体枠側に取り付けた受け金具の係止部に係止されて施錠するゲーム機の施錠装置において、補助シリンダ錠が基枠体に設けた取付部に側方を向いて取り付けられ、補助シリンダ錠の錠軸にカム板と連結杆との間に進入可能なロックカムが固定され、ロックカムのロック動作に従動して、連結杆と支持板に設けた凹部に係合して連結杆の摺動を阻止するロックレバーが配設されたことを特徴とする。
【０００８】
【作用】
上記構成の施錠装置は、ゲーム機の前面枠の内側に取り付けられ、ゲーム機の本体枠側に取り付けた受け金具の係止部に、上下の鉤部材が係止されて施錠が行なわれる。そして、施錠した状態でさらに、補助シリンダ錠を操作してロックカムを回動させ、それを連結杆の嵌合孔に進入させて、連結杆をロックする。
【０００９】
従って、連結杆がロックカムでロックされた状態では、シリンダ錠に挿入したキーより解錠しようとしても、連結杆が摺動しないため、鉤部材が動かず、解錠することができない。
【００１０】
例えば、真正キーから不正キーを作り、或は真正キーを使用して不正解錠しようとする者がいた場合、シリンダ錠にキーを差し込み、カム板を介して連結杆を摺動させようとしても、補助シリンダ錠によるロックカムの解除がなければ、施錠装置を解錠することはできず、キーを用いた不正解錠は防止される。
【００１１】
構造的には補助シリンダ錠を取付板に取り付け、その錠軸に固定したロックカムを、連結杆の凹部に嵌合させる構造であるから、従来のゲーム機の施錠装置の基本構造をそのまま使用して比較的容易に実施することができ、また、確実に連結杆をロックして鉤部材をロックすることができる。
【００１２】
この施錠装置を使用したゲーム機を開く場合、補助シリンダ錠をキーにより回してロックを解除した状態で、本来のキーをシリンダ錠に差し込み、解錠操作して、ゲーム機の前面枠を解錠するから、２つのキーを別々の者が持てば、二重のセキュリティが確保され、より高いレベルで不正解錠を防止することができる。
【００１３】
【発明の実施の形態】
以下、本発明の実施の形態を図面に基づいて説明する。図１は、スロットマシン等のゲーム機に使用される施錠装置の右側面図を、図２はその背面図を示している。この施錠装置は、取付板２と支持板３を横断面Ｌ形に成形した縦長の基枠体１を有し、その支持板３の上部と下部に、フック状の鉤部材５、６がその末端を枢軸７、８を介して傾動可能に枢支され、両鉤部材５、６の中間部が、基枠体１内に摺動可能に配設した連結杆４により、連結ピン５ａ，６ａを介して連結される。
【００１４】
連結杆４は、取付板２上に切り起して形成した複数の切起部２ａにより、摺動可能にガイドされ、支持板３の内側に突設したガイドピン２４と連結杆４に設けた長穴との係合によってもガイドされる。基枠体１の取付板２の中央下寄りに幅広部が設けられ、そこにシリンダ錠１０が前面に突き出す形態で取り付けられる。シリンダ錠１０は、長尺に形成されて、末端に大形のフランジ部１０ａを有し、取付板２に穿設された孔に内側から挿入され、フランジ部１０ａを取付板２の内側にねじで固定し、取り付けられる。シリンダ錠１０の錠軸の末端はフランジ部１０ａを通して内側に突出し、その先端にカム板９が固定される。カム板９には第一係合部９ａと第二係合部９ｂが設けられ、カム板９が図２の反時計方向に回動した時、第一係合部９ａは、上記連結杆４の一部に設けた係合凹部に係合可能であり、カム板９が図２の時計方向に下移動した時、第二係合部９ｂは、後述のスイッチ作動杆１１と係合可能である。
【００１５】
スイッチ作動杆１１は、取付板２の幅広部近傍における支持板３と連結杆４との間に摺動可能に配設される。スイッチ作動杆１１には左側面に突き出した作動片１１ａが設けられ、この作動片１１ａが図示しない非接触スイッチを、スイッチ作動杆１１の移動に伴い動作させる。スイッチ作動杆１１は、摺動方向に沿って長穴を有し、その長穴に、支持板３の一部に取り付けたガイドピン２４を係合させ所定の範囲で摺動可能に支持される。
【００１６】
補助シリンダ錠１５がシリンダ錠１０と同様に、取付板２の前面に突き出す形態で取り付けられる。この補助シリンダ錠１５は、連結杆４とスイッチ作動杆１１の摺動をロックするために設けられ、末端がフランジ部１０ａに固定され、取付板２に穿設された孔から前面側に突出して配設される。この補助シリンダ錠１５の長さは、ここでは図１のように、本来のシリンダ錠１０より少し短く形成されるが、ゲーム機の前面枠の形状に応じてその長さは決められる。補助シリンダ錠１５の錠軸は、フランジ部１０ａの孔から内側に突出し、その錠軸の先端にロックカム１６が固定される。このロックカム１６は、一部に板状の凸部を有し、後述の連結杆４とスイッチ作動杆１１に設けた矩形長穴状の嵌合孔４ａ，１１ｂ内に進入可能である。
【００１７】
連結杆４のロックカム１６に対応した箇所に、嵌合孔４ａが形成され、スイッチ作動杆１１のロックカム１６に対応した箇所にも、嵌合孔１１ｂが上記連結杆４の嵌合孔４ａと重なる位置に形成される。ロックカム１６は、補助シリンダ錠１５をロック側に操作した時、その先端が連結杆４の嵌合孔４ａとスイッチ作動杆１１の嵌合孔１１ｂに進入するように、その錠軸に固定され、補助シリンダ錠１５の錠軸は、キー操作により約９０°の範囲で回動する。
【００１８】
この補助シリンダ錠１５のキー１５ａは、ロック位置でもロック解除位置でも鍵穴から引き抜くことができる構造であり、補助シリンダ錠１５はそのキー操作によるロック状態或はロック解除状態を保持する。これに対し、本来のシリンダ錠１０のキー１０ｂは、ゲーム機の前面枠を解錠するために或はスイッチをオンするために、一時的に連結杆４やスイッチ作動杆１１を摺動させるように動作するから、鍵穴に差し込まれて解錠側に或はスイッチオン側に回動された時、その鍵穴から外れずにその状態を保持し、差し込み位置にキーが戻された時、鍵穴から引き抜くことができる構造である。
【００１９】
スイッチ作動杆１１と取付板２との間にコイルばね１２がかけ渡され、連結杆４と取付板２との間にコイルばね１３がかけ渡され、連結杆４を鉤部材５、６の施錠方向に、スイッチ作動杆１１を非作動方向に付勢している。さらに、支持板３の上部と下部の鉤部材５、６に対応した位置に突起部３ｂが設けられ、施錠装置が固定された前面枠が受け金具の固定された本体枠に対し上方に持ち上げられた場合、突起部３ｂの端部が受け金具の係止部に当って移動を防止する構造である。また、支持板３の中間部には、前面枠を支持するための滑動部材１４が取付られ、閉鎖時に受け金具側の受け板に乗って滑り前面枠を支持する。
【００２０】
上記構成の施錠装置は、図５に示すように、ゲーム機の本体枠（キャビネット）１８の前面にヒンジを介して開閉自在に取り付けられた前面枠（前扉）１９の内側に、その取付板２を介して縦に固定され、本体枠１８の内側縁部には、施錠装置との対向位置に、受け金具２０が縦に固定される。
【００２１】
図５に示すように、受け金具２０は、縦長の帯状金属板からなる帯本体の上部と下部に、係止部２０ａ，２０ｂを断面Ｌ形に曲げて形成され、さらに、その中間部には前縁部を下方に曲げた板状の受け部材２０ｃが帯状金属の端部を略水平に曲げた形態で設けられる。閉鎖・施錠時、上下の鉤部材５、６は受け金具２０の係止部の２０ａ，２０ｂに下側から係合可能に、施錠装置は装着される。
【００２２】
施錠装置を施錠・解錠操作する場合には、補助シリンダ錠１５による連結杆４とスイッチ作動杆１１のロックを解除しておく。即ち、キー１５ａを補助シリンダ錠１５の鍵穴に差し込み、時計方向に約９０°回す。この操作により、ロックカム１６が図４のごとく、嵌合孔４ａ，１１ｂから抜け出た位置に回動し、連結杆４とスイッチ作動杆１１のロックが解除される。
【００２３】
受け金具２０を取り付けた本体枠１８に対し、施錠装置を取り付けた前面枠１９を閉じると、施錠装置の上下の鉤部材５、６の傾斜部が、受け金具２０の係止部２０ａ，２０ｂに当接しながら下方に回動し、鉤部材５、６のフック凹部の先端が係止部２０ａ、２０ｂを越えたところで、コイルばね１３の付勢力により水平位置に戻るように動作して、鉤部材５、６が係止部２０ａ，２０ｂに係止され施錠状態となる。施錠した状態で、キー１５ａを補助シリンダ錠１５の鍵穴に差し込み、反時計方向に約９０°回しておく。
【００２４】
この操作により、ロックカム１６が図３のごとく、同方向に回動して嵌合孔４ａ，１１ｂに進入し、連結杆４とスイッチ作動杆１１がロックされる。これにより、本来のシリンダ錠１０にキー１０ｂを差し込み、解錠しようとしても、連結杆４とスイッチ作動杆１１がロックされているから、連結杆４やスイッチ作動杆１１が動かず、解錠することができず、また、スイッチ操作も行なうことができない。
【００２５】
一方、解錠する場合には、キー１５ａを補助シリンダ錠１５の鍵穴に差し込み、時計方向に約９０°回し、ロックカム１６を図４のように、嵌合孔４ａ，１１ｂから外した位置にし、連結杆４とスイッチ作動杆１１のロックを解除して、本来のシリンダ錠１０を解錠操作する。このようなロック解除状態で、キー１０ｂをシリンダ錠１０に差し込み右に回すと、同方向にカム板９が回動し、連結杆４に係合してそれをコイルばね１３の付勢力に抗して上方に摺動させ、上下の鉤部材５、６が下側に傾動し、受け金具２０の上下の係止部２０ａ，２０ｂに対する係止が外れ、解錠される。また、差し込んだキー１０ｂを左に回すと、カム板９がスイッチ作動杆１１に係合してそれを下方に摺動させ、図示しない非接触スイッチをオンオフさせる。
【００２６】
このように構成された施錠装置では、上述のように、ホールの非営業時等、ゲーム機が使用されない場合、或は営業中であっても、ゲーム機の前面枠を開いたりリセット等のスイッチ操作を行なわない場合は、補助シリンダ錠１５の錠軸を反時計方向に回し、ロックカム１６をロック状態としておく。これにより、ゲーム機がホールに設置され、実際に使用される状態に置かれた場合だけでなく、例えば、ゲーム機をホールに設置する前の輸送時や倉庫等での保管時においても、補助シリンダ錠１５を施錠ロック状態としておけば、連結杆４がロックされているから、本来のシリンダ錠１０のキーがその真正キーから不正に作られて使用された場合でも、ゲーム機の前面枠を開くことができず、その段階での不正行為（制御回路のＲＯＭなどを不正部品と交換する行為）を防止することができる。
【００２７】
前面枠１９を開いたり、リセット等のスイッチ操作を行なう場合は、キー１５ａを補助シリンダ錠１５に差し込んで、ロックの解除操作を行なうと共に、本来のキー１０ｂをシリンダ錠１０に差し込み、解錠或はリセット等の操作を行なう。このとき、ロックカム１６が、連結杆４の嵌合孔４ａとスイッチ作動杆１１の嵌合孔１１ｂから外れ、連結杆４、スイッチ作動杆１１のロックは解除されるから、施錠装置は、上記のように、キー１０ｂを使用してシリンダ錠１０を操作し、カム板９を回して連結杆４を摺動させ、鉤部材５、６を傾動させて解錠或は施錠する、及びスイッチ作動杆１１を摺動させてリセット操作等を行なうことができる。
【００２８】
このように、ホールの営業中に、ゲーム機の前面枠を開きたい場合、補助シリンダ錠１５を操作しロックを解除した状態で、キー１０ｂによりシリンダ錠１０を操作することになるから、例えば、本来のキー１０ｂとロック用のキー１５ａを別々の人が持ち、両者のキー操作による二重操作によってのみ、施錠装置の解錠を行なうことができ、営業中のゲーム機のセキュリティを、より確実なものにすることができる。
【００２９】
図６〜図１２は他の実施例の施錠装置を示している。この実施例では、補助シリンダ錠３５が、上記実施例とは異なり、基枠体１の右側に向けて取り付けられている。なお、基枠体１、取付板２、支持板３、上下の鉤部材５、６、シリンダ錠１０、その錠軸に固定したカム板９、連結杆４、スイッチ作動杆１１、滑動部材１４等の部材については、その基本構成が上記実施例と同様であるから、上記と同じ符号を付して、その説明を省略する。
【００３０】
この例では、取付板２の幅広部における正面側に、板状の取付部３４が突設され、その取付部３４に補助シリンダ錠３５がその鍵穴を右側に向け、その錠軸３５ａの先端を左側に向けて取り付けられ、錠軸３５ａの先端に略Ｌ形板状のロックカム３６が固定される。
【００３１】
取付板２の幅広部には、スリット孔２ｂが連結杆４の近傍に沿って形成され、そのスリット孔２ｂにロックカム３６が挿通される。ロックカム３６は補助シリンダ錠３５の操作により、その錠軸３５ａと共に図１０と図１２の範囲で回動可能であり、補助シリンダ錠３５に向かって反時計方向に錠軸を回した場合、図１２のように、ロックカム３６が本来のシリンダ錠１０のカム板９と連結杆４との間に差し込まれ、カム板９の回動をロックする構造である。
【００３２】
一方、幅広部の側部に立ち上がる支持板３の一部に突出部３ｃが設けられ、その突出部３ｃにロックレバー３７が軸３７ａを支点に回動可能に軸支される。また、ロックレバー３７の近傍の支持板３上には、凹部３ｄが設けられ、スイッチ作動杆１１の同じ位置に凹部１１ｄが設けられ、連結杆４の同じ位置に凹部４ｄが設けられる。
【００３３】
ロックレバー３７の先端には基枠体の内側に入る先端部３７ｂが設けられ、そのロックレバー先端部３７ｂが基枠体側に回動したとき、支持板３の凹部３ｄ、スイッチ作動杆１１の凹部１１ｄ、及び連結杆４の凹部４ｄに嵌入する。ロックレバー３７と基枠体１の間にコイルばね３８がかけ渡され、ロックレバー３７を内側ロック方向に付勢する。ロックカム３６には、ロックレバー３７の先端部３７ｂの近傍に、突出部３６ａが設けられ、ロックカム３６が非ロック側に回動したとき、その突出部３６ａが先端部３７ｂを押し上げて、ロックレバー３７を非ロック状態とする。
【００３４】
この施錠装置は、上記と同様に、ゲーム機の前面枠の内側に取り付け、本体枠側に受け金具を取り付けて使用されるが、シリンダ錠１０の鍵穴は前面枠の正面に現れ、補助シリンダ錠３５の鍵穴は前面枠の側部に現れるように取り付けられる。施錠・解錠操作する場合には、補助シリンダ錠３５による連結杆４とスイッチ作動杆１１のロックを解除しておく。即ち、図９、図１０に示すように、キーを補助シリンダ錠３５の鍵穴に差し込み、時計方向に約９０°回し、ロックカム３６をカム板９と連結杆４との間から上方に退避させると共に、ロックレバー３７を上方に回動させ、その先端部３７ｂを、支持板３の凹部３ｄ、スイッチ作動杆１１の凹部１１ｄ、及び連結杆４の凹部４ｄから退避させ、連結杆４とスイッチ作動杆１１のロックを解除する。
【００３５】
受け金具を取り付けた本体枠に対し、施錠装置を取り付けた前面枠を閉じると、施錠装置の上下の鉤部材５、６の傾斜部が、受け金具の係止部に当接しながら下方に回動し、鉤部材５、６のフック凹部の先端が係止部を越えたところで、コイルばね１３の付勢力により水平位置に戻るように動作して、鉤部材５、６が係止部に係止され施錠状態となる。施錠した状態で、キーを補助シリンダ錠３５の鍵穴に差し込み、反時計方向に回す。
【００３６】
この操作により、ロックカム３６が図１０から図１２に示すように回動して、カム板９と連結杆４の間に進入し、カム板９の回動をロックすると共に、連結杆４とスイッチ作動杆１１の摺動をロックする。このロックは、ロックレバー３７がコイルばね３８の付勢力により内側に回動し、その先端部３７ｂが、支持板３の凹部３ｄ、スイッチ作動杆１１の凹部１１ｄ、及び連結杆４の凹部４ｄに嵌入することにより行なわれる。これにより、本来のシリンダ錠１０にキーを差し込み、解錠しようとしても、連結杆４とスイッチ作動杆１１がロックされているから、連結杆４やスイッチ作動杆１１が動かず、解錠することができず、また、スイッチ操作も行なうことができない。
【００３７】
一方、解錠する場合には、キーを補助シリンダ錠３５の鍵穴に差し込み、時計方向に回して、ロックカム３６を、図９、図１０のように、カム板９と連結杆４との間から上方に退避させると共に、ロックレバー３７を上方に回動させ、その先端部３７ｂを、支持板３の凹部３ｄ、スイッチ作動杆１１の凹部１１ｄ、及び連結杆４の凹部４ｄから退避させ、連結杆４とスイッチ作動杆１１のロックを解除する。
【００３８】
このように、補助シリンダ錠３５をロック状態としておけば、連結杆４とスイッチ作動杆１１がロックされているから、本来のシリンダ錠１０のキーがその真正キーから不正に作られて使用された場合でも、ゲーム機の前面枠を開くことができず、その段階での不正行為を防止することができる。また、ホールの営業中に、ゲーム機の前面枠を開きたい場合、補助シリンダ錠３５を操作しロックを解除した状態で、キーによりシリンダ錠１０を操作することになるから、上記と同様に、本来のキーとロック用のキーを別々の者が持ち、両者のキー操作による二重操作によってのみ、施錠装置の解錠を行なうことができ、営業中のゲーム機のセキュリティを、より確実なものにすることができる。
【００３９】
【発明の効果】
以上説明したように、本発明の施錠装置によれば、補助シリンダ錠の操作により連結杆をロックするから、連結杆がロックした状態では、キーにより本来のシリンダ錠を操作して解錠しようとしても、連結杆及び鉤部材がロックされて動かず、解錠できない。従って、本来のシリンダ錠のキーと補助シリンダ錠のキーを別々の者が持ち、一方の者がロックを解除し、他方の者が解錠操作するようにして、二重のセキュリティを確保し、不正解錠をより高いレベルで防止することができる。
【００４０】
また、補助シリンダ錠を取付板に取り付け、その錠軸に固定したロックカムを、連結杆の凹部に嵌合させる構造であるから、従来のゲーム機の施錠装置の基本構造をそのまま使用して比較的容易に実施することができ、また、確実に連結杆をロックすることができる。さらに、連結杆と支持板の間に配設されたスイッチ作動杆にも凹部を設け、そこにロックカムを嵌合させて、連結杆と共にスイッチ作動杆をロックすることができる。
【００４１】
また、補助シリンダ錠の錠軸に固定したロックカムで、カム板をロックすることに加え、ロックカムの動きに従動するロックレバーにより連結杆をロックするから、より確実に不正解錠を防止することができる。さらに、請求項２の発明では、連結杆と共にスイッチ作動杆をロックすることができる。
【図面の簡単な説明】
【図１】本発明の一実施形態を示す施錠装置の右側面図である。
【図２】同施錠装置の背面図である。
【図３】ロックしたロックカム付近の拡大背面図である。
【図４】ロックを解除したロックカム付近の拡大背面図である。
【図５】使用状態を示す右側面図である。
【図６】他の実施例を示す施錠装置の右側面図である。
【図７】同施錠装置の背面図である。
【図８】図７の施錠装置の拡大底面図である。
【図９】非ロック状態の要部の拡大背面図である。
【図１０】非ロック状態の要部の拡大右側面図である。
【図１１】ロック状態の要部の拡大背面図である。
【図１２】ロック状態の要部の拡大右側面図である。
【符号の説明】
１−基枠体
３−支持板
４−連結杆
４ａ−嵌合孔
５、６−鉤部材
９−カム板
１１−スイッチ作動杆
１１ｂ−嵌合孔
１６−ロックカム
【図１】
0003743241.tif 000002
【図２】
0003743241.tif 000003
【図３】
0003743241.tif 000004
【図４】
0003743241.tif 000005
【図５】
0003743241.tif 000006
【図６】
0003743241.tif 000007
【図７】
0003743241.tif 000008
【図８】
0003743241.tif 000009
【図９】
0003743241.tif 000010
【図１０】
0003743241.tif 000011
【図１１】
0003743241.tif 000012
【図１２】
0003743241.tif 000013